(57)【要約】【課題】複数の子機と同時に無線通信を行う場合に、他の無線通信システムへの電波干渉を極力抑えながら、全ての子機との通信を維持すること。【解決手段】送信電力制御部１０２ａは、全ての子機が充電台に載置されたタイミングで送信電力制御を実施する。信号処理部１０２は、カメラ子機や窓センサ等の充電台が存在しない子機から通知信号を受信してから所定時間を経過するまでに次の通知信号を受信しなかった場合、当該充電台が存在しない子機のＲＳＳＩレベルおよび受信時刻をメモリ部１０３から消去する。送信電力制御部１０２ａは、メモリ部１０３に記憶されている、充電台が存在しない子機のＲＳＳＩレベルが消去されると、送信電力制御を解除する。【選択図】図１
2014154976.tif 000002
【特許請求の範囲】
【請求項１】
複数の子機とＴＤＭＡ方式の無線通信を行う無線通信装置であって、
各子機から送信された信号の受信レベルを測定するレベル測定手段と、
全ての子機が充電台に載値されたときに前記受信レベルを用いて送信電力制御を行う送信電力制御手段と、
を具備し、
前記送信電力制御手段は、充電台が存在しない子機から所定時間内に通知信号を受信しなかったときに送信電力制御を解除する、
無線通信装置。
【請求項２】
複数の子機とＴＤＭＡ方式の無線通信を行う無線通信装置の送信電力制御方法であって、
各子機から送信された信号の受信レベルを測定するステップと、
全ての子機が充電台に載値されたときに前記受信レベルを用いて送信電力制御を行うステップと、
充電台が存在しない子機から所定時間内に通知信号を受信しなかったときに送信電力制御を解除するステップと、
を具備する送信電力制御方法。
【発明の詳細な説明】
【技術分野】
【０００１】
本発明は、デジタルコードレス電話機に応用可能な無線通信装置および送信電力制御方法に関する。
【背景技術】
【０００２】
コードレスの子機を有し、電話回線に接続された親機から離れて通話相手と会話することができるコードレス電話機が普及している。その普及に伴い、複数の無線通信システムが同一エリア内に存在するようなケースも生じるようになってきた。このようなケースでは、親機が常時最大の電力で電波を送信すると、親機と子機が離れていても通話することができる反面、他の無線通信システムへの電波干渉が大きくなってしまうという課題があった。
【０００３】
そこで、親機の送信電力を可変制御するコードレス電話機が開発されている。例えば、特許文献１には、通信開始時に無線通信機の送信電力値を最大値にして送信を行い、送信に成功するごとに送信電力値を所定量ずつ下げていき、送信に失敗したときには送信電力値を所定量上げる等の制御をすることにより最適な送信電力の設定を行う技術が開示されている。
【０００４】
また、特許文献２には、子機が充電台に連結されているか否かに応じて、親機（接続装置）の送信電力を制御する技術が記載されている。すなわち、特許文献２には、子機と接続装置の間では、子機が充電台に連結されると低い送信電力で通信し、子機が充電台から離されると高い送信電力で通信する技術が開示されている。これにより、特許文献２の技術は、子機が接続装置から遠ざかる過程で妨害波が届いても、子機と接続装置の間の通信を維持することができるようにするものである。
【０００５】
また、近年、画像を取り込む画像センサを搭載するカメラ子機と、カメラ子機からの画像データをモニタに映し出す親機とで構成されるモニタシステムも普及している（例えば、特許文献３参照）。
【０００６】
また、窓などに設置され、窓の開閉や窓が割られたときの振動を検知し、検知信号を親機に送信する窓センサも普及してきている（例えば、特許文献４参照）。
【先行技術文献】
【特許文献】
【０００７】
【特許文献１】特開２００１−３３２９８７号公報
【特許文献２】特開２００２−３４５０２６号公報
【特許文献３】特開２００７−２０８６０８号公報
【特許文献４】特開２００７−２７２５９５号公報
【発明の概要】
【発明が解決しようとする課題】
【０００８】
しかしながら、特許文献１は、通話時（またはその他のデータ通信時）の子機と親機との間の電力を低く制御する技術であり、通話時以外の子機と親機との間の同期および制御信号送信のための制御チャネルの電力制御に関するものではない。また、特許文献２は、１台の子機と親機との間の制御に関する発明であり、複数の子機が存在する場合には実施することができない。更に、上記従来技術には、制御チャネルの信号が他のコードレス電話システムに対して干渉を与えることについては考慮されていない。また何れの先行技術文献にも、カメラ子機、窓センサ等の、充電台が存在しない子機（特殊子機）を具備するコードレス電話機における送信電力制御については開示されていない。
【０００９】
図１７は、隣接する他のコードレス電話システムに対する干渉の様子を示す。図１７に示すように、親機に登録された子機が複数有る場合（子機Ａ、子機Ｂ、窓センサ子機）、遠方に存在する子機Ｂで受信可能なように親機が送信する制御チャネルの電力を最大にすると、隣接する他のコードレス電話システムに大きな干渉を与えてしまうおそれがある。
【００１０】
本発明の目的は、充電台が存在しない子機を含む、複数の子機と無線通信を行う場合に、他の無線通信システムへの電波干渉を極力抑えながら、全ての子機との通信を維持することができる無線通信装置および送信電力制御方法を提供することである。
【課題を解決するための手段】
【００１１】
本発明の無線通信装置は、複数の子機とＴＤＭＡ方式の無線通信を行う無線通信装置であって、各子機から送信された信号の受信レベルを測定するレベル測定手段と、全ての子機が充電台に載値されたときに前記受信レベルを用いて送信電力制御を行う送信電力制御手段と、を具備し、前記送信電力制御手段は、充電台が存在しない子機から所定時間内に通知信号を受信しなかったときに送信電力制御を解除する、構成を採る。
【００１２】
本発明の送信電力制御方法は、複数の子機とＴＤＭＡ方式の無線通信を行う無線通信装置の送信電力制御方法であって、各子機から送信された信号の受信レベルを測定するステップと、全ての子機が充電台に載値されたときに前記受信レベルを用いて送信電力制御を行うステップと、充電台が存在しない子機から所定時間内に通知信号を受信しなかったときに送信電力制御を解除するステップと、を具備する。
【発明の効果】
【００１３】
本発明によれば、充電台が存在しない子機を含む、複数の子機とＴＤＭＡ方式の無線通信を行う場合に、親機が、所定時間内に、充電台が存在しない子機から信号を受信することができないときに、送信電力制御を解除する。これにより、他の無線通信システムへの電波干渉を極力抑えながら、全ての子機との通信を維持することができる。
【図面の簡単な説明】
【００１４】
【図１】本発明の一実施の形態に係る親機の構成を示すブロック図
【図２】本発明の一実施の形態に係る子機および充電台の構成を示すブロック図
【図３】本発明の一実施の形態に係る子機を充電台に載置する様子を示す外観図
【図４】本発明の一実施の形態に係るカメラ子機の構成を示すブロック図
【図５】本発明の一実施の形態に係る窓センサの構成を示すブロック図
【図６】ＤＥＣＴ方式における、待機状態での親機と子機の通信の様子を説明する図
【図７】本発明の一実施の形態に係るコードレス電話機の親機のメモリ部に記憶される情報を示す図
【図８】本発明の一実施の形態に係るコードレス電話機の親機のメモリ部に記憶される情報を示す図
【図９】本発明の一実施の形態に係る電話子機の動作を示すフロー図
【図１０】本発明の一実施の形態に係る特殊子機の動作を示すフロー図
【図１１】本発明の一実施の形態に係る親機の動作を示すフロー図
【図１２】本発明の一実施の形態に係るコードレス電話機の基本動作を示すシーケンス図
【図１３】本発明の一実施の形態に係るコードレス電話機の不具合発生時の動作を示すシーケンス図
【図１４】本発明の一実施の形態に係るコードレス電話機の全ての子機の通信周期が等しいときの動作を示すシーケンス図
【図１５】本発明の一実施の形態に係るコードレス電話機の複数の子機の通信周期が互いに異なるときの動作を示すシーケンス図
【図１６】本発明の一実施の形態に係るコードレス電話機の複数の子機の通信周期が互いに異なるときの、不具合発生時の動作を示すシーケンス図
【図１７】隣接する他のコードレス電話システムに対する干渉の様子を示す説明図
【発明を実施するための形態】
【００１５】
以下、本発明の実施の形態について、図面を参照して詳細に説明する。なお、以下の説明では、ＤＥＣＴ（Digital Enhanced Cordless Telecommunication）規格に準拠したデジタルコードレス電話機を例に説明する。ＤＥＣＴは、欧州の電気通信標準化機関であるＥＴＳＩ（European Telecommunications Standards Institute）で標準化されている方式である。
【００１６】
（実施の形態）
デジタルコードレス電話機は、１つの親機１（図１参照）と、複数の子機２（図２参照）と、子機２と同数の充電台３（図２参照）と、カメラ子機４（図４参照）と、窓センサ５（図５参照）と、から構成される。カメラ子機４及び窓センサ５は、充電台が存在しない子機である。親機１（無線通信装置）は、各子機２、カメラ子機４及び窓センサ５とＴＤＭＡ（Time Division Multiple Access）方式の無線通信を行う。
【００１７】
図１は、本発明の一実施の形態に係る親機１の構成を示すブロック図である。図１に示すように、親機１は、電話回線インターフェース１０１と、信号処理部１０２と、メモリ部１０３と、無線部１０４と、アンテナ１０５と、表示部１０６と、操作部１０７と、マイクロフォン１０８と、スピーカ１０９と、から主に構成される。
【００１８】
電話回線インターフェース１０１は、電話回線と信号処理部１０２とを繋ぐインターフェースであり、着呼処理、発呼処理を行って電話回線を介して外部の電話機と接続したり、回線の開放・閉結を行ったりする。
【００１９】
信号処理部１０２は、メモリ部１０３に記憶されている制御プログラムに基づいて、各部から出力された信号の処理、および、各部の制御を行う。特に、信号処理部１０２は、デジタル音声データに対してＡＤＰＣＭ（Adaptive Differential Pulse Code Modulation）方式の符号化処理を行い、制御データを付加し、フレーム中の所定のスロットに挿入し、周波数変調等の変調処理を行い、ベースバンドの送信信号を生成する。また、信号処理部１０２は、ベースバンドの受信信号に対して復調処理を行い、フレーム中の所定のスロットから制御データおよび音声符号化データを取り出し、音声符号化データに対してＡＤＰＣＭ方式の復号処理を行い、デジタル音声データを生成する。また、信号処理部１０２は、所定の時間間隔で、子機２に対して通信が正常に行われていることを確認するための信号（以下、「確認信号」という）を、無線部１０４、アンテナ１０５を介して送信する。信号処理部１０２は、子機２から、確認信号に対して応答するための通知信号を、アンテナ１０５、無線部１０４を介して受信する。
【００２０】
また、信号処理部１０２は、操作部１０７において通信開始（通信終了）の操作が入力された場合、カメラ子機４に対して通信開始（通信終了）を要求するための制御信号（通信開始要求、通信終了要求）を生成し、生成した制御信号を無線部１０４に出力する。また、信号処理部１０２は、カメラ子機４との通信時には、親機１とカメラ子機４との音声データ及び画像データのやり取りを制御する。また、信号処理部１０２は、窓センサ５から、異常を検知したことを知らせるための信号（以下、「異常検知信号」という）を受信すると、スピーカ１０９からブザー音を発声させる。
【００２１】
メモリ部１０３は、制御プログラム、子機のＩＤ（Identification）等、所定の情報を記憶する。なお、メモリ部１０３に記憶される情報の内、本発明に関わるものについては後述する。
【００２２】
無線部１０４は、信号処理部１０２から出力されたベースバンドのデジタル信号に対して、増幅、アップコンバート等の無線処理を行い、アンテナ１０５から無線信号を送信する。また、無線部１０４は、アンテナ１０５に受信された無線信号に対して、増幅、ダウンコンバート等の無線処理を行い、ベースバンドのデジタル信号を信号処理部１０２に出力する。
【００２３】
表示部（ＬＣＤ：Liquid Crystal Display）１０６は、信号処理部１０２から出力された各種情報を表示する。操作部１０７は、多様なボタン、ダイヤル、キーを有し、ユーザの意志に基づく操作内容を電気信号に変換して信号処理部１０２に出力する。
【００２４】
マイクロフォン１０８は、ユーザの音声を集音し、音声信号に変換して信号処理部１０２に出力する。スピーカ１０９は、信号処理部１０２から出力された音声信号を音声に変換して発音する。
【００２５】
ここで、本発明の特徴的な構成として、信号処理部１０２は、送信電力制御部１０２ａおよびタイマ１０２ｂを有する。また、無線部１０４は、レベル測定部１０４ａおよび増幅部１０４ｂを有する。
【００２６】
送信電力制御部１０２ａは、レベル測定部１０４ａにて測定された子機２、カメラ子機４及び窓センサ５からの受信信号のＲＳＳＩ（Received Signal Strength Indicator）レベルに基づいて送信電力を算出し、算出結果を示す制御信号を増幅部１０４ｂに出力する。なお、送信電力制御部１０２ａにおける具体的な送信電力制御方法は後述する。タイマ１０２ｂは、信号処理部１０２の動作の各種時間を規定するためのものであり、例えば所定の時間間隔で子機へ確認信号を送信するための第１の所定時間をカウントし、また子機から応答が無いままタイムアウトする際の第２の所定時間をカウントする。
【００２７】
レベル測定部１０４ａは、子機２、カメラ子機４及び窓センサ５からの受信信号のＲＳＳＩレベルを測定し、測定結果を示すＲＳＳＩ信号を送信電力制御部１０２ａに出力する。
【００２８】
増幅部１０４ｂは、送信電力制御部１０２ａの制御に基づいて、アンテナ１０５から送信される無線信号の電力を増幅する。
【００２９】
図２は、本発明の一実施の形態に係る子機２および充電台３の構成を示すブロック図である。図２に示すように、子機２は、信号処理部２０１と、メモリ部２０２と、無線部２０３と、アンテナ２０４と、表示部２０５と、操作部２０６と、マイクロフォン２０７と、スピーカ２０８と、充電回路２１１と、２次電池２１２と、定電圧回路２１３と、から主に構成される。また、子機２は、端子Ｔ２１、Ｔ２２を有する。
【００３０】
信号処理部２０１は、メモリ部２０２に記憶されている制御プログラムに基づいて、各部から出力された信号の処理、および、各部の制御を行う。また、信号処理部２０１は、充電回路２１１から充電検出信号を受け取ると、子機２が充電台３に設置されたことを通知するための通知信号（以下、「載置通知信号」という）を無線部２０３，アンテナ２０４を介して親機１に送信する。また、信号処理部２０１は、親機１から確認信号を受信した場合、応答信号を無線部２０３，アンテナ２０４を介して親機１に送信する。また、信号処理部２０１は、一定間隔で、親機１へ生存（動作中）を示す通知信号（以下、「生存通知信号」という）を送信する。なお、信号処理部２０１は、信号処理部２０１の動作の各種時間を規定するタイマ（図示せず）を有する。
【００３１】
メモリ部２０２は、制御プログラム等、所定の情報を記憶する。
【００３２】
無線部２０３は、信号処理部２０１から出力されたベースバンドのデジタル信号に対して、増幅、アップコンバート等の無線処理を行い、アンテナ２０４から無線信号を送信する。また、無線部２０３は、アンテナ２０４に受信された無線信号に対して、増幅、ダウンコンバート等の無線処理を行い、ベースバンドのデジタル信号を信号処理部２０１に出力する。
【００３３】
表示部２０５は、信号処理部２０１から出力された各種情報を表示する。操作部２０６は、多様なボタン、ダイヤル、キーを有し、ユーザの意志に基づく操作内容を電気信号に変換して信号処理部２０１に出力する。
【００３４】
マイクロフォン２０７は、ユーザの音声を集音し、音声信号に変換して信号処理部２０１に出力する。スピーカ２０８は、信号処理部２０１から出力された音声信号を音声に変換して発音する。
【００３５】
端子Ｔ２１，Ｔ２２は、子機２を充電台３に載置した際に端子Ｔ３１，Ｔ３２と接触させて充電電流を入力するための端子である。
【００３６】
充電回路２１１は、充電台３から供給される充電電流を入力して２次電池２１２および定電圧回路２１３に供給する。また、充電回路２１１は、子機２が充電台３に載置され、充電台３からの充電電流を検出した場合、充電検出信号を信号送信部２０１に出力する。
【００３７】
２次電池２１２は、充電回路２１１からの充電電流を蓄電し、定電圧回路２１３に放電する。
【００３８】
定電圧回路２１３は、安定した直流電圧を、信号処理部２０１へ供給する定電圧源であり、充電回路２１１あるいは２次電池２１２からの直流電圧（例えば２．５Ｖ）をさらに低い電圧（例えば１．８Ｖ）に変換する。
【００３９】
充電台３は、外部電源コネクタ３０１と、電源回路３０２と、から主に構成される。また、充電台３は、端子Ｔ３１、Ｔ３２を備える。
【００４０】
端子Ｔ３１，Ｔ３２は、子機２へ充電電流を供給するための端子である。
【００４１】
外部電源コネクタ３０１は、外部電源と接続して、直流電流を入力する。
【００４２】
電源回路３０２は、外部電源コネクタ３０１からの直流電圧（例えば６．５Ｖ）を適正な電圧（例えば２．５Ｖ）に変換し、子機２の充電回路２１１に供給するＤＣ／ＤＣコンバータである。
【００４３】
図３に示すように、子機２は、ユーザが充電台３に載置すること、及び、充電台３から離すことが容易にできる構造となっている。子機２は、充電台３に載置されると、充電台３と電気的に接続し、２次電池２１２に充電台３からの充電電流を蓄電する。なお、親機１には、子機２に充電することができる構造を持つものがある。この場合、子機２は、親機１の充電部に載置されると、親機１と電気的に接続し、２次電池２１２に親機１からの充電電流を蓄電する。
【００４４】
図４は、本実施の形態に係るカメラ子機４の構成を示すブロック図である。図４に示すカメラ子機４は、アンテナ４０１と、無線部４０２と、音声処理部４０３と、マイク４０４と、スピーカ４０５と、撮像部４０６と、画像データ処理部４０７と、メモリ部４０８と、低速駆動部４０９と、電源制御部４１０と、電池４１１と、制御部４１２と、高速クロック４１３と、低速クロック４１４と、から主に構成される。なお、高速クロック４１３では、低速クロック４１４と比較して、高い周期のクロックが生成される。
【００４５】
無線部４０２は、制御部４１２から入力される信号を、アンテナ４０１を介して、親機１へ送信する。また、無線部４０２は、アンテナ４０１を介して、親機１からの信号を受信する。制御部４１２からの信号には、例えば、画像データ、音声データ、通信開始応答、通信終了応答、又は、周期変更応答などが含まれる。また、親機１からの信号には、例えば、音声データ、通信開始要求、通信終了要求、又は、周期変更要求などが含まれる。
【００４６】
音声処理部４０３は、制御部４１２から入力される、親機１から送信された音声データに対して音声処理を行い、音声処理を行った音声データをスピーカ４０５に出力する。また、音声処理部４０３は、マイク４０４から入力される音声データに対して音声処理を行い、音声処理を行った音声データを制御部４１２に出力する。
【００４７】
撮像部４０６は、画像データを取得し、取得した画像データを画像データ処理部４０７に出力する。
【００４８】
画像データ処理部４０７は、撮像部４０６から入力される画像データに対して、画像データ処理を行い、処理後の画像データを制御部４１２に出力する。
【００４９】
メモリ部４０８は、所定の情報を記憶し、制御部４１２によって、プログラム格納用又は情報処理実行用として使用される。
【００５０】
低速駆動部４０９は、内部に低速タイマ４０９ａを備え、低速クロック４１４から出力されるクロックに基づいて、制御部４１２から指示される同期周期をカウントし、同期のタイミングを電源制御部４１０に通知する。
【００５１】
電源制御部４１０は、制御部４１２の制御、及び、低速駆動部４０９から通知される同期のタイミングに従って、電池４１１の各構成部機能への電力供給を制御する。具体的には、電源制御部４１０は、同期のタイミング以外のタイミングでは、低速クロック４１４に基づいて動作する構成部（例えば、低速駆動部４０９、電源制御部４１０、制御部４１２など）に電池４１１の電力を供給する。これにより、カメラ子機４の動作はスリープ動作となる。一方、電源制御部４１０は、同期のタイミングでは、無線部４０２などの親機１との通信を行う構成部を含む全ての構成部に電池４１１の電力を供給する。これにより、カメラ子機４は親機１との通信が可能となる。
【００５２】
制御部４１２は、高速クロック４１３から出力されるクロックに基づいて、カメラ子機４全体を制御する。例えば、制御部４１２は、親機１から通信開始要求（通信終了要求）を受信した場合、当該通信開始要求（通信終了要求）に対する応答を無線部４０２へ出力する。また、制御部４１２は、親機１との通信時には、親機１とカメラ子機４との音声データ及び画像データのやり取りを制御する。また、制御部４１２は、電源制御部４１０に対して、各構成部への電力供給を制御する。また、制御部４１２は、親機１から制御信号を受信した場合、生存通知信号を無線部４０２，アンテナ４０１を介して親機１に送信する。
【００５３】
図５は、本実施の形態に係る窓センサ５の構成を示すブロック図である。図５に示す窓センサ５は、アンテナ５０１と、無線部５０２と、メモリ部５０３と、低速駆動部５０４と、電源制御部５０５と、電池５０６と、制御部５０７と、高速クロック５０８と、低速クロック５０９と、センサ５１０と、検知部５１１と、から主に構成される。なお、高速クロック５０８では、低速クロック５０９と比較して、高い周期のクロックが生成される。また、窓センサ５に、制御部５０７に接続されるブザー部（図示せず）を設けることにより、窓が開かれた等の異常時に窓センサ５自体が音声を報知することができる。
【００５４】
無線部５０２は、制御部５０７から入力される信号を、アンテナ５０１を介して、親機１へ送信する。また、無線部５０２は、アンテナ５０１を介して、親機１からの信号を受信する。制御部５０７からの信号には、例えば、通信開始応答、通信終了応答、又は、異常検知信号などが含まれる。また、親機１からの信号には、例えば、通信開始要求、通信終了要求などが含まれる。
【００５５】
メモリ部５０３は、所定の情報を記憶し、制御部５０７によって、プログラム格納用又は情報処理実行用として使用される。
【００５６】
低速駆動部５０４は、内部に低速タイマ５０４ａを備え、スリープ動作の間は、低速クロック５０９から出力されるクロックに基づいて、制御部５０７から指示される同期周期をカウントし、同期のタイミングを電源制御部５０５に通知する。
【００５７】
スリープ動作の間に、検知部５１１で異常が検知されると、電源制御部５０５は、無線部５０２などの親機１との通信を行う構成部を含む全ての構成部に電池５０６の電力を供給する。これにより、窓センサ５の動作はスリープ動作から起動状態に切り替わり、窓センサ５は、親機１との通信が可能になり、センサ検知情報を親機１へ送信することができる。
【００５８】
また、電源制御部５０５は、低速駆動部５０４から通知される同期のタイミングに従って電池５０６の各構成部機能への電力供給を制御する。具体的には、電源制御部５０５は、低速クロック５０９に基づいて動作する構成部（例えば、低速駆動部５０４、電源制御部５０５、制御部５０７など）に電池５０６の電力を供給する。これにより、窓センサ５の動作はスリープ動作から起動状態に切り替わり、種々の情報（電池残量など）を親機１へ送信することができる。
【００５９】
制御部５０７は、窓センサ５全体を制御する。例えば、制御部５０７は、親機１から通信開始要求（通信終了要求）を受信した場合、当該通信開始要求（通信終了要求）に対する応答を無線部５０２に出力する。また、制御部５０７は、親機１との通信時には、親機１と窓センサ５とのデータのやり取りを制御する。また、制御部５０７は、電源制御部５０５に対して、各構成部への電力供給を制御する。また、制御部５０７は、検知部５１１が異常を検知すると、異常検知信号を無線部５０２，アンテナ５０１を介して親機１に送信する。また、制御部５０７は、親機１から制御信号を受信した場合、生存通知信号を無線部５０２，アンテナ５０１を介して親機１に送信する。なお、制御部５０７は、高速クロック５０８から出力されるクロックに基づいて動作する。
【００６０】
センサ５１０は、窓センサ５が取り付けられた窓の状態の変化を感知する。センサ５１０として、例えば、振動センサ、焦電センサ、リードスイッチ、ドップラーセンサ、ＭＩＲ（Micro Impulse Radar）センサなどが用いられる。
【００６１】
検知部５１１は、センサ５１０の感知により、窓センサ５が取り付けられた窓が開かれたことや、窓のガラスが割られたりしたこと等の異常を検知する。検知部５１１は、異常を検知すると、電源制御部５０５及び制御部５０７に通知する。
【００６２】
次に、ＤＥＣＴ方式における、待機状態での親機と子機の通信について図６を用いて説明する。
【００６３】
図６に示すように、ＤＥＣＴ方式では、１０ｍｓ周期の１フレームに２４スロット（アップリンク用に１２スロット、ダウンリンク用に１２スロット）を含んで構成されるＴＤＭＡ／ＴＤＤ（Time Division Multiple Access/Time Division Duplex）方式を採用している。また、最低１スロットの制御チャネルスロットを備えており、制御チャネルも通話チャネルも１０ｍｓのフレーム周期で送受信される。
【００６４】
親機は、子機に対して各フレームの予め定められた所定のスロット（図６では第２スロット）を制御チャネルに決めこの制御チャネルにて制御信号（Beacon）を送信する。
【００６５】
待機状態では、子機から親機には信号が送信されない。そして、子機が充電台に載置された等のイベントが発生した場合、子機は、親機に対して予め定められた所定のスロット（図６では第１４スロット）にて通知信号を送信する。
【００６６】
なお、カメラ子機及び窓センサも親機に対して予め定められた所定のタイミングにて通知信号を送信する。または、画像転送や異常通知など親機との通信の終了時を通知信号と代用しても良い。
【００６７】
本実施の形態の親機１は、子機２、カメラ子機４、窓センサ５から送信された通知信号のＲＳＳＩレベルを測定し、測定結果に基づいて送信電力を制御する。
【００６８】
次に、親機１のメモリ部１０３に記憶される情報について、図７を用いて説明する。図７に示すように、親機１のメモリ部１０３には、子機２、カメラ子機４、窓センサ５について、これらの機器のＩＤ番号（IDi）、測定した通知信号のＲＳＳＩレベル（Pppi）および通知信号の受信時刻（Tppi）が対応付けて記憶される。なお、図７では、ID1は子機２、ID2はカメラ子機４、ID3は窓センサ５であるものとする。
【００６９】
レベル測定部１０４ａは、親機１が子機２、カメラ子機４、窓センサ５から通知信号を受信する度に、通知信号のＲＳＳＩレベルを測定し、測定結果を信号処理部１０２（送信電力制御部１０２ａ）に出力する。
【００７０】
信号処理部１０２は、子機２、カメラ子機４、窓センサ５から通知信号を受信する度に、当該子機２、カメラ子機４、窓センサ５のＩＤ、ＲＳＳＩレベルおよび受信時刻を対応付けて、メモリ部１０３に記憶する。
【００７１】
また、信号処理部１０２は、カメラ子機４、窓センサ５から通知信号を受信してから所定時間を経過するまでに次の通知信号を受信しなかった場合、当該機器のＲＳＳＩレベルおよび受信時刻をメモリ部１０３から消去する（例えば図８のID3（窓センサ）の欄参照）。
【００７２】
次に、本実施の形態に係る親機が制御チャネルで制御信号を送信する時の送信電力制御方法について説明する。
【００７３】
送信電力制御部１０２ａは、所定のタイミングで、メモリ部１０３に記憶されているＲＳＳＩレベル（Pppi）の最小値を用いて送信電力値を算出する。なお、送信電力制御部１０２ａが送信電力制御を行うタイミングとして、図７に示したメモリ部１０３に記憶された情報内容が更新されたタイミング等が挙げられる。
【００７４】
具体的には、送信電力制御部１０２ａは、メモリ部１０３に格納された、子機２、カメラ子機４、窓センサ５から送られる通知信号を受信した際の各ＲＳＳＩレベル（Pppi）を読み出し、その最小値を選択する。親機１と通信が可能な子機２、カメラ子機４、窓センサ５の送信電力値は同じ値に設定されている。したがって、子機２を親機１の直ぐ側に置いた場合の親機１における受信電力を最大受信電力とした場合、この最大受信電力は子機２、カメラ子機４、窓センサ５のいずれにおいてもほぼ一定である。この値は、製品の製造段階で親機１のメモリ部１０３に予め格納される。送信電力制御部１０２ａは、この既知の最大受信電力から、前述の最小値のＲＳＳＩレベル（Pppi）の値を減算することにより、子機２、カメラ子機４、窓センサ５の中で、最も受信信号レベルが弱いものに関する伝搬路損失を算出することができる。
【００７５】
送信電力制御部１０２ａは、算出した伝搬路損失に受信電力基準値を加えた値に応じて、親機１が制御信号を送信するための送信電力値を算出する。なお、受信電力基準値は、親機１と子機２、カメラ子機４、窓センサ５が通信を維持するため、または通信干渉を抑圧するために必要な受信電力値にマージンを加えた値である。
【００７６】
そして、送信電力制御部１０２ａは、算出した送信電力値で信号を送信するように増幅部１０４ｂを制御する。
【００７７】
これにより、親機１の遠方に存在し、伝搬路損失が大きい子機２、カメラ子機４、窓センサ５でも、通信を維持するために必要な受信電力値で、親機１からの制御信号を受信することができる。また、親機１の送信電力が低減されるので、他の無線通信システムへの電波干渉を抑えることができる。
【００７８】
送信電力制御部１０２ａは、図８に示すように、メモリ部１０３に記憶されているカメラ子機４あるいは窓センサ５のＲＳＳＩレベル（Pppi）が消去されると、直ちに送信電力制御を解除し、常時最大の電力で電波を送信するように増幅部１０４ｂを制御する。
【００７９】
次に、本実施の形態に係る子機の動作について、図９及び図１０を用いて説明する。図９は、本実施の形態に係る電話子機である子機２が充電台３上でアイドル状態に置かれている時の動作を示すフロー図である。図１０は、本実施の形態に係る特殊子機の１つである窓センサ５の動作を示すフロー図である。
【００８０】
図９において、ＳＴ６０１、ＳＴ６０２では、子機２は、第１タイマを起動し、充電台３上でアイドル状態になる。子機２は、第１タイマが満了するまでの間（ＳＴ６０３：ＮＯ）、充電台３に載置された状態が続き（ＳＴ６０４：ＮＯ）、親機１から確認信号を受信しなければ（ＳＴ６１１：ＮＯ）、アイドル状態を維持する（ＳＴ６０２）。
【００８１】
また、子機２は、充電台３に載置された状態で（ＳＴ６０４：ＮＯ）、親機１から確認信号を受信すると（ＳＴ６１１：ＹＥＳ）、親機１へ応答信号を送信し（ＳＴ６１２）、第１タイマのリセットと起動を行い（ＳＴ６１３、ＳＴ６０１）、充電台３上でのアイドル状態に戻る（ＳＴ６０２）。
【００８２】
第１タイマが満了すると（ＳＴ６０３：ＹＥＳ）、子機２は、親機１へ生存通知信号を送信する（ＳＴ６０５）。その後、親機１から確認のための信号を受信することにより通知の完了が確認されると（ＳＴ６０６：ＹＥＳ）、子機２は、第１タイマのリセットと起動を行い（ＳＴ６１３、ＳＴ６０１）、アイドル状態に戻る（ＳＴ６０２）。このように、子機２は、第１タイマが満了する毎に親機１に通知信号を送信する。
【００８３】
子機２は、充電台３から離れると（ＳＴ６０４：ＹＥＳ）、親機１へ充電外れを示す通知信号を送信し（ＳＴ６０７）、充電台３を離れたアイドル状態になり（ＳＴ６０８）、充電台３の上に載せられるまで（ＳＴ６０９：ＮＯ）、充電台３を離れたアイドル状態を維持する（ＳＴ６０８）。その後、子機２が充電台３の上に載せられると（ＳＴ６０９：ＹＥＳ）、子機２は、親機１へ充電台３に載置されたことを示す載置通知信号を送信し（ＳＴ６１０）、第１タイマのリセットと起動を行い（ＳＴ６１３、ＳＴ６０１）、充電台３上でのアイドル状態に戻る（ＳＴ６０２）。
【００８４】
図１０において、ＳＴ７０１、ＳＴ７０２では、窓センサ５は、スリープタイマを起動し、スリープ状態になる。窓センサ５は、スリープタイマが満了するまでの間（ＳＴ７０３：ＮＯ）、異常が検知されなければ（ＳＴ７１１：ＮＯ）、スリープ状態を維持する（ＳＴ７０２）。窓センサ５は、スリープタイマが満了すると（ＳＴ７０３：ＹＥＳ）、起動状態に移行し（ＳＴ７０４）、親機１の制御信号を受信する為の親機サーチ動作を開始する（ＳＴ７０５）。
【００８５】
窓センサ５は、親機サーチ動作を開始してから所定時間が経過する前に（ＳＴ７０９：ＮＯ）、親機１からの制御信号を受信すると（ＳＴ７０６：ＹＥＳ）、親機１へ生存通知信号を送信する（ＳＴ７０７）。その後、親機１から確認のための信号を受信することにより通知の完了が確認されると（ＳＴ７０８：ＹＥＳ）、窓センサ５は、スリープタイマのリセットと起動を行い（ＳＴ７１４、ＳＴ７０１）、スリープ状態に戻る（ＳＴ７０２）。このように、窓センサ５は、スリープタイマが満了する毎に親機１へ生存通知信号を送信する。
【００８６】
なお、親機サーチ動作を所定時間行っても親機１の制御信号を受信できない場合（ＳＴ７０６：ＮＯ、ＳＴ７０９：ＹＥＳ）、窓センサ５は、親機サーチ動作を終了し（ＳＴ７１０）、スリープタイマのリセットと起動を行い（ＳＴ７１４、ＳＴ７０１）、スリープ状態に戻る（ＳＴ７０２）。窓センサ５は、親機１からの制御信号を正常に受信できなければ通知信号を送信しない。
【００８７】
また、窓センサ５は、スリープ状態のときに（ＳＴ７０２）、異常が検知された場合（ＳＴ７０３：ＮＯ，ＳＴ７１１：ＹＥＳ）、起動状態に移行し（ＳＴ７１２）、親機１へ異常検知信号を送信する（ＳＴ７１３）。その後、窓センサ５は、スリープタイマのリセットと起動を行い（ＳＴ７１４、ＳＴ７０１）、スリープ状態に戻る（ＳＴ７０２）。
【００８８】
このように、カメラ子機４や窓センサ５等の特殊子機は、親機１に対して、異常検知信号を送信する以外に、予め定められた所定のタイミングにて生存通知信号を送信する。
【００８９】
次に、本実施の形態に係る親機１の動作について、図１１のフローを用いて説明する。なお、親機１は、特殊子機に対して定期的に制御信号を送信しているものとする。
【００９０】
親機１は、デフォルトでは、送信電力制御を行わず、フルパワー動作として、常時最大の電力で電波を送信する（ＳＴ８０１）。
【００９１】
その後、親機１は、子機２から、充電が開始されたことを示す載置通知信号を受信すると（ＳＴ８０２：ＹＥＳ）、通知信号のＲＳＳＩを測定し、メモリ部１０３の情報を更新する（ＳＴ８０３、ＳＴ８０４）。具体的には、子機のＩＤ番号、測定した載置通知信号のＲＳＳＩレベルおよび載置通知信号の受信時刻が対応付けて記憶される。
【００９２】
ＳＴ８０５では、親機１は、メモリ部１０３にて登録されている全ての子機２に関する載置通知信号（またはその他に通知信号）のＲＳＳＩレベルおよびその信号の受信時刻が揃っているか否かを調べる。そして、親機１は、全ての子機２からの信号のＲＳＳＩレベルおよび受信時刻が揃うまで、ＳＴ８０１−ＳＴ８０４の処理を繰り返す（ＳＴ８０５：ＮＯ）。
【００９３】
また、親機１は、フルパワー動作状態（ＳＴ８０１）において、子機２から載置通知信号が受信されず（ＳＴ８０２：ＮＯ）、特殊子機（カメラ子機４または窓センサ５等）から生存通知信号が受信されない状態（ＳＴ８０６：ＮＯ）が続けば、ＳＴ８０１−ＳＴ８０２−ＳＴ８０６の処理を繰り返し、フルパワー動作を維持する（ＳＴ８０１）。また、親機１は、特殊子機から生存通知信号を受信した場合には（ＳＴ８０６：ＹＥＳ）、生存通知信号のＲＳＳＩを測定し、メモリ部１０３の情報を更新する（ＳＴ８０３、ＳＴ８０４）。
【００９４】
親機１は、全ての子機２から載置通知信号を受信し、メモリ部１０３にて全ての子機２に関する信号のＲＳＳＩレベルおよび受信時刻が揃うと（ＳＴ８０５：ＹＥＳ）、送信電力制御を実施する（ＳＴ８０７）。その後、窓センサ５は、生存通知信号および応答信号のいずれも受信せず（ＳＴ８０８：ＮＯ、ＳＴ８０９：ＮＯ）、いずれの子機（子機２、カメラ子機４、窓センサ５）にも不具合が発生しなければ（ＳＴ８１０：ＮＯ）、送信電力制御を継続する（ＳＴ８０７）。
【００９５】
親機１は、送信電力制御を実施している状態で、各子機（子機２、カメラ子機４、窓センサ５）から生存通知信号を受信した場合（ＳＴ８０８：ＹＥＳ）、生存通知信号のＲＳＳＩを測定し、メモリ部１０３の情報を更新する（ＳＴ８０３、ＳＴ８０４）。同様に、親機１は、確認信号を送信した子機２から応答信号を受信した場合（ＳＴ８０９：ＹＥＳ）、応答信号のＲＳＳＩを測定し、メモリ部１０３の情報を更新する（ＳＴ８０３、ＳＴ８０４）。
【００９６】
また、親機１は、送信電力制御を実施している状態で、いずれかの子機（子機２、カメラ子機４、窓センサ５）に不具合が発生した場合（ＳＴ８１０：ＹＥＳ）、メモリ部１０３において当該子機に関する情報（ＲＳＳＩレベル及び受信時刻）を消去し（ＳＴ８１１）、送信電力制御を解除してフルパワー動作を実施する（ＳＴ８０１）。なお、親機１は、各子機（子機２、カメラ子機４、窓センサ５）について、直近の生存通知信号の受信時刻から所定期間内に次の生存通知信号を受信しなかった場合、あるいは、子機２に対して確認信号を送信してから所定期間内に応答信号を受信しなかった場合に、当該子機に不具合が発生したと判断する。
【００９７】
以上のように、親機１は、送信電力制御を実施している時に、所定期間内にいずれかの子機から生存通知信号を受信しなかった場合等に、当該子機に不具合が発生したと判断し、送信電力制御を解除し、フルパワー動作に切り替える。
【００９８】
図１２は、本実施の形態に係るコードレス電話機の基本動作を示すシーケンス図である。子機２は、一定時間が経過（第１タイマが満了）する度に、親機１へ生存通知信号を送信し、親機１は、通知信号の内容および当該通知信号を受信した際の情報（ＲＳＳＩレベル及び受信時刻）によって当該子機２に関するメモリ部１０３の情報を更新する。なお、図１２では、全ての子機２で通信周期が等しい場合を示している。
【００９９】
図１３は、本実施の形態に係るコードレス電話機の不具合発生時の動作を示すシーケンス図である。例えば、子機２の電池が消耗したことによって子機２が通信不能になった場合、親機１は、直近の生存確認信号を受信してから一定時間が経過（第１タイマが満了）しても当該子機２から次の生存確認信号が送信されないので、当該子機２に不具合が発生したと判断し、メモリ部１０３の中の当該子機２に関する情報を消去する。そして、親機１は、送信電力制御を実施していた場合には、フルパワー動作に切り替える。
【０１００】
図１４は、本発明の一実施の形態に係るコードレス電話機の全ての子機２（２ａ、２ｂ、２ｃ、２ｄ）の通信周期が等しいときの動作を示すシーケンス図である。図１５は、コードレス電話機の複数の子機の通信周期が互いに異なるときの動作を示すシーケンス図である。通常、電話子機の通信周期（図１５のＴ１）は、特殊子機の中の通信周期（図１５のＴ２）よりも短い。例えば、Ｔ１が１０分であり、Ｔ２が６０分である。また、子機が生存通知信号を送信するタイミングを決めるタイマの違いや電池寿命の違いによっても、図１５に示すように生存通知信号の送信タイミングおよび送信間隔に差がある。
【０１０１】
図１５に示すように、子機（子機２、カメラ子機４、窓センサ５）によって生存通知信号の送信タイミングや送信間隔が異なる場合でも、親機１は登録時などにそれぞれの子機と生存確認の時間情報を交換しておけば、親機１はそれぞれの子機から各所定のタイミングで生存通知信号が送信されていることを確認することができる。
【０１０２】
図１６は、本発明の一実施の形態に係るコードレス電話機の複数の子機の通信周期が互いに異なるときの、不具合発生時の動作を示すシーケンス図である。例えば、特殊子機の中の窓センサ５の電池が急激に消耗したことによって窓センサ５が通信不能になった場合、親機１は、制御信号を送信した後、一定期間が経過しても当該窓センサ５から生存通知信号が送信されないので、当該窓センサ５に不具合が発生したと判断し、メモリ部１０３の中の当該窓センサ５に関する情報を消去する。そして、親機１は、送信電力制御を実施していた場合には、フルパワー動作に切り替える。
【０１０３】
このように、子機によって生存通知信号の送信タイミングや送信間隔が異なる場合であっても、親機１は、特殊子機からの生存通知信号を所定期間内に受信することができないことによって、それまで送信電力制御を実施していた場合にフルパワー動作に切り替える。その後、親機１は、メモリ部１０３の情報が不足している限り、フルパワー動作を維持する。
【０１０４】
以上説明したように、本実施の形態によれば、充電台が存在しない子機を含む複数の子機と無線通信を行う場合に、充電台が存在しない子機（特殊子機）から所定時間内に生存通知信号を受信しなかったときに送信電力制御を解除する。これにより、他の無線通信システムへの電波干渉を極力抑えながら、全ての種類の子機との通信を維持することができる
【０１０５】
なお、上記実施の形態では、受信した通知信号のＲＳＳＩレベルをメモリ部１０３に記憶させる場合について説明したが、本発明はこれに限られず、先に伝搬路損出を算出して記憶する等、他の値を記憶させても良い。
【産業上の利用可能性】
【０１０６】
本発明の無線通信装置は、デジタルコードレス電話機に用いるのに好適である。
【符号の説明】
【０１０７】
１  親機
２  子機
３  充電台
４  カメラ子機
５  窓センサ
１０１  電話回線インターフェース
１０２、２０１  信号処理部
１０２ａ  送信電力制御部
１０２ｂ  タイマ
１０３、２０２、４０８、５０３  メモリ部
１０４、２０３、４０２、５０２  無線部
１０４ａ  レベル測定部
１０４ｂ  増幅部
１０５、２０４、４０１、５０１  アンテナ
２１１  充電回路
２１２  ２次電池
２１３  定電圧回路
３０１  外部電源コネクタ
３０２  電源回路
４１２、５０７  制御部
５１０  センサ
５１１  検知部
【図１】
2014154976.tif 000003
【図２】
2014154976.tif 000004
【図３】
2014154976.tif 000005
【図４】
2014154976.tif 000006
【図５】
2014154976.tif 000007
【図６】
2014154976.tif 000008
【図７】
2014154976.tif 000009
【図８】
2014154976.tif 000010
【図９】
2014154976.tif 000011
【図１０】
2014154976.tif 000012
【図１１】
2014154976.tif 000013
【図１２】
2014154976.tif 000014
【図１３】
2014154976.tif 000015
【図１４】
2014154976.tif 000016
【図１５】
2014154976.tif 000017
【図１６】
2014154976.tif 000018
【図１７】
2014154976.tif 000019